(57)【要約】【課題】種々の画像データの入力形態に対応してプリント処理のオーダーを管理できる写真処理装置を提供すること。【解決手段】写真プリントを作成するための画像データとオーダー管理データを含むオーダーデータをオーダー単位で管理するためのオーダー管理部５と、オーダーデータに含まれるオーダー管理データを保存する第１記憶部６ａと、オーダーデータに含まれる画像データをオーダー管理データと関連付けて保存可能な第２記憶部６ｂと、オーダーのプリント処理の順番を、保存されているオーダー管理データに基づいて設定するプリント順序設定部５ｅと、設定されているプリント順序に従い、オーダーデータに対するプリント処理を指令するプリント処理制御部５ｂとを備えている。【選択図】図２
2007095002.tif 000002
【特許請求の範囲】
【請求項１】
写真プリントを作成するための画像データとオーダー管理データを含むオーダーデータをオーダー単位で管理するためのオーダー管理部と、
前記オーダー管理データを保存する第１記憶部と、
前記画像データをオーダー管理データと関連付けて保存可能な第２記憶部と、
オーダーのプリント処理の順番を、保存されているオーダー管理データに基づいて設定するプリント順序設定部と、
設定されているプリント順序に従い、オーダーデータに対するプリント処理を指令するプリント処理制御部とを備えていることを特徴とする写真処理装置。
【請求項２】
オーダー管理データには、オーダーを特定する識別データ、プリント処理の優先度を表すデータ、オーダーの受付時間を表すデータが含まれることを特徴とする請求項１に記載の写真処理装置。
【請求項３】
オーダーデータの取得経路に応じて画像データを第１記憶部もしくは第２記憶部に選択的に保存させる記憶部選択手段を備えていることを特徴とする請求項１又は２に記載の写真処理装置。
【請求項４】
第１記憶部と第２記憶部は、夫々が独立して動作可能なハードディスクにより構成されることを特徴とする請求項１〜３のいずれか１項に記載の写真処理装置。
【発明の詳細な説明】
【技術分野】
【０００１】
本発明は、写真プリントを作成するための画像データとオーダー管理データを含むオーダーデータをオーダー単位で管理するためのオーダー管理部を備えた写真処理装置に関するものである。
【背景技術】
【０００２】
写真プリントを作成するプリント処理システムにおいては、適宜の画像形成媒体から画像データを取得し、画像データを含むオーダーデータはオーダー単位で所定の記憶部に一旦保存される。ここで、１オーダーとは、ネガフィルム１本に含まれる画像データ、記憶メディア１個に格納される画像データのことを指す。従前は、画像形成媒体としての現像済みネガフィルムに形成されているコマ画像をフィルムスキャナーで読み取り、この読み取られた画像データに基づいて、写真プリントを作成するケースが多かった。
【０００３】
しかしながら、近年においてはデジタルカメラがかなり普及してきており、デジタルカメラにより撮影された画像に基づいて、写真プリントの依頼を受けるようなケースが多くなって来ている。また、これに伴いインターネットを経由してオンラインで写真プリントの注文を受け付ける形態も普及しつつある。従って、画像データを取得する形態としては、写真フィルムから取得する以外にも種々の入力形態が考えられ、写真店においても、種々の画像データ入力形態に合わせてプリント処理のオーダーを取り扱う必要があり、写真フィルムからの写真プリントのオーダーと記憶メディアからの写真プリントのオーダーを効率よく管理し、プリント処理の効率を高める必要がある。
【発明の開示】
【発明が解決しようとする課題】
【０００４】
本発明は上記実情に鑑みてなされたものであり、その課題は、種々の画像データの入力形態に対応してプリント処理のオーダーを管理できる写真処理装置を提供することである。
【課題を解決するための手段】
【０００５】
上記課題を解決するため本発明に係る写真処理装置は、
写真プリントを作成するための画像データとオーダー管理データを含むオーダーデータをオーダー単位で管理するためのオーダー管理部と、
前記オーダー管理データを保存する第１記憶部と、
前記画像データをオーダー管理データと関連付けて保存可能な第２記憶部と、
オーダーのプリント処理の順番を、保存されているオーダー管理データに基づいて設定するプリント順序設定部と、
設定されているプリント順序に従い、オーダーデータに対するプリント処理を指令するプリント処理制御部とを備えていることを特徴とするものである。
【０００６】
かかる構成による写真処理装置の作用・効果を説明する。画像データとオーダー管理データを含むオーダーデータは、オーダー管理部の機能によりオーダー単位で管理される。画像データは、写真プリント作成の対象になるものであり、オーダー管理データはオーダーを特定するための識別データや、オーダー受付時間、写真プリントのプリントサイズなどが例としてあげられる。かかるオーダー管理データは、第１記憶部に保存され、画像データはオーダー管理データと関連付けて第２記憶部に保存可能である。このように構成すれば、第２記憶部については、任意に場所を設定することができ、種々の入力形態に対応できるようになる。また、プリント順序設定部は、オーダー管理データに基づいてプリント処理の順番を設定する。例えば、オーダー受付時間に応じて順番を設定することができる。プリント処理制御部は、設定されているプリント順序に従い、オーダーデータに対してプリント処理を指令し、写真プリントの作成が実行されることになる。以上のように、種々の入力形態に対応して、オーダーの管理及びプリント処理の順序を設定することができ、プリント処理を効率よく行なうことができる。その結果、種々の画像データの入力形態に対応してプリント処理のオーダーを管理できる写真処理装置を提供することができる。
【０００７】
本発明に係るオーダー管理データには、オーダーを特定する識別データ、プリント処理の優先度を表すデータ、オーダーの受付時間を表すデータが含まれることが好ましい。
【０００８】
識別データにより個々のオーダーを特定することができ、オーダー管理やプリント順序の管理をすることができる。また、プリント処理の優先度（例えば、「通常仕上げ」「特急仕上げ」など）やオーダーの受付時間に基づいてプリント順序を設定することができる。例えば、優先度が高いオーダーほど早く仕上がるように設定でき、受付時間が早いものほど早く仕上がるように設定することができる。
【０００９】
本発明において、オーダーデータの取得経路に応じて画像データを第１記憶部もしくは第２記憶部に選択的に保存させる記憶部選択手段を備えていることが好ましい。
【００１０】
画像データの保存場所としては、前述のように第１記憶部とは別の第２記憶部に保存しても良いし、第１記憶部にも保存させるようにしてもよい。例えば、写真処理装置の本体で入力を受け付けたオーダーの画像データは、第２記憶部に保存し、写真処理装置の外部で入力を受け付けたオーダーの画像データは、第１記憶部に保存するようにできる。これにより、写真処理装置において、プリント処理のための作業を行いながらも、並行して外部からのオーダーを受け付けることができる。また、いずれの場合もオーダー管理データは第１記憶部に保存されるため、オーダー管理を一括して効率よく行なうことができる。
【００１１】
本発明において、第１記憶部と第２記憶部は、夫々が独立して動作可能なハードディスクにより構成されることが好ましい。
【００１２】
これにより、入力形態の違いに応じて、第１記憶部と第２記憶部で夫々画像データを同時に保存するケースが生じる場合、アクセスが競合しないため、オーダーデータの保存処理を効率よく行なうことができる。
【発明を実施するための最良の形態】
【００１３】
本発明に係る写真処理装置の好適な実施形態を図面を用いて説明する。図１は、写真処理装置を含むシステム全体の構成を示す模式図である。
【００１４】
＜システムの全体構成＞
図１において、写真処理装置１００は、取得されたデジタルの画像データに基づいて、写真プリントを作成する機能を有する。画像データは、写真処理装置１００に設けられるフィルムスキャナーから取得される現像済みネガフィルム（写真フィルム）のコマ画像の画像データや、ネットワーク経由で送信されてくる画像データなどがあげられる。
【００１５】
受付端末２０は、店頭に設置され、デジタルカメラの記憶メディアやその他の記憶メディアに格納された画像データを受け付けることができる。記憶メディアの種類としては、コンパクトフラッシュ（登録商標）、スマートメディア（登録商標）、メモリスティック（登録商標）、ＣＤ−Ｒ、ＤＶＤ−Ｒなどが例としてあげられる。受付端末２０は、主として顧客により操作されるものであり、顧客が自分で持参した記憶メディアを挿入し、プリント処理の対象となる画像データの選択、プリント枚数、プリントサイズの設定などを行うことができる。もちろん、店員が受付端末２０を操作するようにしてもよい。
【００１６】
記録装置４０は、写真処理装置１００が取得した画像データをＣＤ−Ｒ、ＤＶＤ−Ｒ等の記憶メディアに書き込む機能を有する。ネット受付端末５０（パソコンにより構成）は、インターネット経由でのプリント注文に係る画像データを受け付ける機能を有する。写真処理装置１００、受付端末２０、記録装置４０、ネット受付端末５０は、ネットワーク（例えば、ＬＡＮ）により接続されている。また、写真処理装置１００、受付端末２０、記録装置４０、ネット受付端末５０の設置台数は１台に限定されるものではなく、必要に応じて複数台を設置することができる。
【００１７】
インターネット上に設置されるサーバー６０は、オンラインでのプリント注文を受け付ける機能を提供する。プリント注文を行なう場合は、インターネットに接続されるパソコン７０から、プリント処理に係る画像データをアップロードすると、サーバー６０に画像データが保存される。ネット受付端末５０から、当該画像データをサーバー６０からダウンロードすることで、プリント処理を行なうことができる。オンラインでプリント処理を受け付けるシステムについては、公知のシステムを利用することができる。
【００１８】
＜写真処理システムの機能ブロック構成＞
図２は、写真処理システムの中心をなす写真処理装置１００の機能を示すブロック図である。フィルムスキャナー１は、現像済みネガフィルム（写真フィルム）に形成されているコマ画像をスキャニングしてデジタルの画像データを取得する。画像取得部２ａは、写真処理装置１００本体に設けられたドライブを介して画像データを取得するものであり、デジタルカメラの記憶メディアに格納されている画像データや、そのほかのフレキシブルディスク、ＣＤ−Ｒ等の記憶メディアから画像データを取り込むことができる。もう１つの画像取得部２ｂは、ネットワーク経由で送信されてくる画像データを取得する。ネットワークを介して通信を行なうために通信制御部３が設けられる。画像取得部２ｂが取得する画像データは、デジタルカメラの記憶メディア等に格納されていた画像データや、インターネットサーバー６０に保存されていた画像データである。
【００１９】
＜画像判定部の構成＞
画像判定部４は、取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データ設定部４ａ、プリントデータ設定部４ｂ、サムネイル画像作成部４ｃ、オーダー確定操作部４ｄが主たる機能として設けられており、これを図３を参照しながら説明する。なお、プレジャッジは必ず行なわなければならないものではなく、プレジャッジを省略してプリント処理を行うことも可能である。
【００２０】
図３は、プレジャッジを行なうためのモニター画面の構成例を示す図である。画面には、プリント処理の対象となるコマ画像が６コマごとに表示される。プレジャッジの対象となっているコマ画像は、画像選択枠３０で囲まれた状態となっている。コマ画像のコマ番号はコマ番号表示欄３１に表示される。写真プリントのプリントサイズについては、プリントサイズ表示欄３２に表示される。プリント枚数は、プリント枚数設定欄３３にて設定することができる。色補正データ設定欄３４と、濃度補正データ設定欄３５には、色や濃度の補正データを入力することができる。補正データ設定部４ａは、上記のような色や濃度を補正するための補正データを入力する機能を提供するものであり、かかる補正データの入力は必要に応じて設定される。その他の補正データの設定としては、赤目補正、逆光補正などの特殊補正の設定が例としてあげられる。
【００２１】
プリント枚数の設定としては、フィルムスキャナー１から取得した画像データに関してはデフォルトで１が設定されているが、オペレータの入力操作により変更することができる。また、ネットワーク経由で取得した画像データについては、顧客により注文にかかるプリント枚数が既に設定されているため、オペレータにより設定変更できないようにすることが好ましい。このプリント枚数の設定データは、プリントデータに含まれるものであり、プリントデータ設定部４ｂの機能により提供される。プリントデータには、プリント枚数の他にプリントサイズ、ペーパー面質（光沢面や絹目など）、縁有りプリントか否かについても含まれるものとする。
【００２２】
図３に示されるコマ画像は、サムネイル画像であり、取得した画像データを縮小処理することで得られるものである。画像取得部２が取得した画像データの場合は、取得したオリジナルの画像データに基づいてサムネイル画像を作成することができる。フィルムスキャナー１からネガフィルムの画像データを取得する場合は、ネガフィルムをプレスキャンした画像データに基づいて、サムネイル画像を作成することができる。サムネイル画像の作成は、サムネイル画像作成部４ｃの機能に基づき行われるものである。
【００２３】
オーダー確定操作部４ｄは、オーダーの切れ目を確定させる機能を有する。プレジャッジを行う場合には、図３に示すように、６コマ単位で表示するようにしており、１オーダーの全てのコマ画像を表示するように構成されていない。従って、オーダー内の全コマ画像を順番に６コマごとに表示させてプレジャッジを行う場合には、オーダー確定操作部４ｄを操作することで、オーダーの切れ目を確定させ、１オーダーに含まれる画像データの数についても確定させる。オーダー確定操作部４ｄとしては、例えば、表示画面上にかかる機能を有するボタンを設けて、これをクリックさせるようにしてもよいし、キーボード等の入力操作部８に専用のキーを設けるようにしてもよい。
【００２４】
次に、ネガフィルムのスキャニング態様であるプレスキャンと本スキャンについて説明する。プレスキャンとは、現像済みネガフィルムの画像を粗い画素数で読み取る処理のことであり、前述のサムネイル画像を表示させるために行われる。プレジャッジを行う場合は、高解像度の画像データが不要であり、読み取り処理時間を短縮化するために、粗い画素数でスキャニングする。
【００２５】
本スキャンとは、ネガフィルムの各コマ画像を高解像度で読み取るための処理であり、実際に写真プリントを作成するために用いられる画像データである。画質のよい写真プリントを作成するために高解像度でコマ画像を読み取る。また、本スキャンの際には、プリント枚数が０と設定されたコマ画像については、読み取りを行わない。
【００２６】
＜オーダー制御部の構成＞
オーダー管理部５は、プリント処理すべき画像データをオーダー単位に管理する機能を提供する。ここで１オーダーとは、フィルム１本分あるいは記憶メディア１個分についてのプリント注文に係る画像データ群を指すものであるが、これに限定されるものではなく、１オーダーの概念はオペレータにより適宜設定することができる。
【００２７】
オーダー登録部５ａは、画像判定部４によりプレジャッジの終了したオーダーデータを記憶装置６に登録・保存する機能を有する。前述のオーダー確定操作部４ｄによる操作に応じて、オーダーデータを保存する。記憶装置６は、第１記憶部６ａ（スプーラ）と、第２記憶部６ｂ（ＣＡＵ：コンパクト・アーカイブ・ユニット）とで構成される。プリント処理すべきオーダーデータは、すべて記録装置６に保存される。
【００２８】
ここで、第１記憶部６ａと第２記憶部６ｂの使い分けについて説明する。第１記憶部６ａと第２記憶部６ｂは、夫々が独立して動作可能なハードディスクにより構成される。第１記憶部６ａは、オーダーを管理するための全てのオーダー管理データが保存される。オーダー管理データはオーダーデータに含まれるものであり、オーダーを特定する識別データ（ＩＤ）、オーダーの優先度、オーダーの受付時間、オーダーの仕上がり予想時間、写真プリントのプリントサイズ、各コマ画像のプリント枚数、顧客の氏名、住所、会員ＩＤなどが含まれている。また、第１記憶部６ａには、ネットワーク及び画像取得部２ｂを介して取得されたオーダーデータの画像データが保存される。従って、画像取得部２ｂを介して取得されたオーダーデータは全て第１記憶部６ａに保存される。
【００２９】
一方、写真処理装置１００本体に設けられたフィルムスキャナー１や画像取得部２ａを介して取得された画像データは、第２記憶部６ｂに保存される。このように、画像データの入力経路に応じて、画像データを保存する場所を変えている。従って、例えば、フィルムスキャナー１から取り込んだ画像データを第２記憶部６ｂに保存している間に、第１記憶部６ａに並行して画像データを保存する処理を実行することができるため、アクセスが競合せずプリント処理の効率を落とすことがない。
【００３０】
なお、オーダーデータとは１オーダー分のデータのことを指すが、１オーダーに含まれる画像データ群と、プレジャッジにより設定された補正データやプリント枚数などのプリントデータ、オーダー管理データにより構成される。ただし、オーダーデータのデータ量は大半が画像データにより決まるため、オーダーデータのデータ量は画像データのデータ量であると考えても問題はない。なお、写真フィルムから取得した画像データの場合には、本スキャンの画像データのみならずプレスキャンの画像データも合わせてオーダーデータとして保存しておくことが好ましい。
【００３１】
プリント処理制御部５ｂは、プリント処理の対象となるオーダーのオーダーデータをプリント処理するように指令を与える。図４は、オーダー管理画面の構成例を示す図であり、処理待ちオーダーのリストと、完了済みオーダーのリストが表示されている。処理待ちオーダーのリストには、基本的にはプリント処理が行なわれる順番にオーダーのリストが表示されている。状態表示欄には、オーダーの処理状態が示されており、１番上のオーダーがプリント処理中であること、一番下のオーダーがオーダー受付中であること、その他のオーダーについてはプリント処理待ちの状態であることが示されている。プリント処理が完了すると、完了済みオーダーの表示欄へと移行し、状態表示もプリント処理完了に変わる。
【００３２】
オーダーデータ削除部５ｃは、プリント処理が完了したオーダーデータを所定期間保存した後、第１記憶部６ａあるいは第２記憶部６ｂから削除する。所定期間保存することより、焼き増しプリントの依頼に備えると共に、所定期間後に削除することで、各記憶部６ａ，６ｂの保存容量を確保できるようにする。なお、プリント処理が完了したオーダーデータについて、記録装置６以外の外部記憶装置にオーダーデータを移動するようにしてもよい。
【００３３】
優先度設定部５ｄは、登録しようとする新規オーダーの優先度を設定する。優先度として「特急仕上げ」「通常仕上げ」「ゆっくり仕上げ」の３段階があり、「特急仕上げ」は高優先度に相当し、「通常仕上げ」「ゆっくり仕上げ」は低優先度に相当する。優先度の設定は、この３段階でなくてもよく、例えば、「特急仕上げ」「通常仕上げ」の２段階でもよく、４段階以上に増やしてもよい。優先度の設定方法としては、例えば、モニター画面の新規オーダー登録ボタンをクリックすると、優先度選択画面がポップアップし、表示されているいずれかの優先度を選択させるようにすることができる。図４には、優先度を表示するため、Ａ，Ｂ，Ｃの符号が各オーダーについて表示されており、夫々「特急仕上げ」「通常仕上げ」「ゆっくり仕上げ」を示している。
【００３４】
プリント順序設定部５ｅは、オーダーデータを第１記憶部６ａもしくは第２記憶部６ｂに登録するに際して、オーダーのプリント順序を優先度や受付順序に基づいて設定する。基本的には、受付順序が早いほど先にプリント処理がされる。図４に示す管理画面において、処理待ちオーダーのリストは、プリント処理がされる順番にオーダーがリスト表示されている。すなわち、一番上のオーダーが現在プリント処理中のオーダーであり、以下順番に繰り上がってプリント処理が行なわれていく。また、高優先度である「特急仕上げ」オーダーを登録する場合は、基本的には低優先度の「通常仕上げ」や「ゆっくり仕上げ」のオーダーよりも優先してプリント処理を行なうため、高優先度オーダーは既に登録済みの低優先度オーダーに割り込む形でプリント順序を設定する。高優先度の別オーダーが既に登録されている状態であれば、その登録済みオーダーの次に新規のオーダーをプリント処理できるようにプリント順序を設定する。
【００３５】
手動順序設定部５ｆは、プリント順序設定部５ｅにより設定されたプリント順序をオペレータの手動操作により変更を可能にするための機能である。例えば、図４に示すオーダーリスト表示において、特定のオーダーを選択し、マウスのドラッグ＆ドロップ操作により、変更したい位置に選択したオーダーを移動させることができる。このように、プリント順序設定部５ｅは、予め決められたルールに従い、自動的にプリント順序を設定するものであるが、手動順序設定部５ｆを設けることで、任意にプリント順序を変更することができる。
【００３６】
図４の画面構成例について更に説明すると、画面右上に残容量が表示され、新規のオーダーを登録するときの目安にしたり、残容量の確認を行なうことができる。また、オーダー数として「１５」が表示されており、これはプリント処理待ちのオーダー数を示している。また、待ち時間として「２０分」が表示されており、プリント処理待ちのオーダーを全て処理するのに要する時間が表示されている。オペレータは、この表示を見て、新規のオーダーが処理されるおよその時間を認識することができる。
【００３７】
図２に戻り、モニター７は、プレジャッジを行なうための画面（図３参照）やオーダー管理画面等を表示させるものであり、プリント処理等を行うために必要な画面を提供する。入力操作部８は、キーボードやマウス等により構成され、プリント処理に必要なデータ入力や設定、各種指令を行う。
【００３８】
画像処理基板９は、記憶装置６から画像データと補正データを受け取り、補正データに基づいて画像データに対する画像処理を行い、写真プリントを作成するために用いられるプリント用画像データを生成する。画像処理基板９は、受信メモリ、処理回路部、展開メモリにより構成され、処理回路部において指定された画像処理が行なわれる。具体的には、補正データに基づく色・濃度の補正、設定されたプリントサイズに従ったデータの拡縮処理などである。
【００３９】
システム制御部１８は、写真処理装置１００の作動を統括的に制御する機能を有するものである。システム制御部１８は、画像判定部４、オーダー管理部５、記憶装置６等に対する制御やデータの通信を行なう。記憶部選択手段１８ａは、画像データの入力経路に応じて画像データを保存する保存先として、第１記憶部６ａか第２記憶部６ｂのいずれかを選択する機能を提供する。
【００４０】
次に、図２におけるプリント処理部の構成を簡単に説明する。ペーパーマガジン１０には、写真感光材料であるペーパーがロール状に収容されている。ペーパーマガジン１０は、２台を設置することができ、例えば、ペーパー幅の異なるペーパーを予めセットしておくことができる。ペーパーカッター１１は、ペーパーマガジン１０から引き出された長尺状のペーパーを設定されたプリントサイズになるように切断する。
【００４１】
露光エンジン１２は、画像処理基板９の展開メモリから送信されてくるプリント用画像データを受け取り、このプリント用画像データに基づいて、ペーパーの乳剤面に画像を焼付露光する。露光エンジン１２としては、特定の方式のものに限定されるものではなく、例えば、レーザーエンジン、ＣＲＴエンジン、ＰＬＺＴエンジンなどを用いることができる。
【００４２】
現像処理部１３は、画像が焼付露光されたペーパーの現像処理を行い、乾燥処理部１４は、現像処理されたペーパーの乾燥処理を行なう。ペーパー排出部１５から仕上がりの写真プリントが装置本体外部に排出され、所定の集積装置によりオーダー単位で集積される。
【００４３】
ペーパーセンサー１６は、ペーパー排出部１５から排出されるペーパーを検出し、あるオーダーの写真プリントが全て排出されたか否かを検出する。センサー制御部１７は、ペーパーセンサー１６の駆動制御を行なうと共に、ペーパーセンサー１６からの信号を受信して解析する。オーダー制御部５のオーダーデータ削除部５ｃは、あるオーダーについての写真プリントが全て排出されたとセンサー制御部１７により検出された場合、そのオーダーについてのプリント処理が終了したものと判断する。
【００４４】
＜オーダー管理の設定画面＞
次に、オーダー管理部５によりオーダーの管理を行う場合の設定画面の一例を図５に示す。ネットオーダーモードの設定欄２５は、有効もしくは無効の設定を行うことができ、有効を選択することで受付端末２０からのオーダーを受け付けることができる。
【００４５】
データ保存設定欄２１では、オーダーデータを保存する第１記憶部６ａ（スプーラ）に関する設定を行うことができる。ドライブ設定欄２１は第１記憶部６ａを配置するドライブを指定することができる。一度指定したドライブを変更することもできる。スプーラ容量設定欄２１ｂには、第１記憶部６ａとして使用する領域の要領を設定することができる。プリント処理をスムーズに行なうのに必要な容量（例えば、３ＧＢ）を設定することができる。残容量が少なくなってきた場合、この設定値を増やすことで対処することもできる。スプーラ使用容量表示欄２１ｃには、第１記憶部６ａに保存されている全オーダーデータのデータ量を表示する。
【００４６】
リオーダー用保存容量設定欄２１ｄは、リオーダー用（焼き増し用など）に設定する保存容量を設定することができる。この保存容量は、第１記憶部６ａ内に保存領域を確保することができる。これは、後日焼き増しプリントの依頼を受けた場合、リオーダー用に確保された領域からオーダーデータを読み出すことで、直ちにプリント処理を開始できるという利点がある。従って、フィルムスキャナー１による画像データの読み取り動作などが不要になり、効率よく作業を行うことができる。リオーダー用に確保されたオーダーデータは、所定期間保存され、所定期間が経過した後に削除される。完了済みオーダー保存容量表示欄２１ｅには、リオーダー用に保存されている全オーダーデータのデータ量が表示される。
【００４７】
以上、第１記憶部６ａの設定について説明してきたが、第２記憶部６ｂについても同様に設定することができる。
【００４８】
ソート対象データ設定欄２２は、図４に示したオーダーリストを表示するソート順の基準について設定を行う欄である。通常は図４に例示するように「受付日時」が選択される。受付日時を選択した場合、オーダーリストには受け付け順に各オーダーが表示され、基本的に受け付け順にプリント処理が行われていく。基準として「マガジン」を選択することもでき、マガジンに対して付与されているマガジンコード順にソートされる。ただし、装置本体に装着可能なマガジンは２種類であるため、現在装着されているマガジンが上位にソートされる。
【００４９】
仕上がり予定時間設定エリア２３は、仕上がり予想時間を演算するために必要なデータを設定入力する。このエリア２３は、オーダーの仕上がり時間を演算するために、写真プリント出力の予定時間等を設定するものであり、各写真店の事情に合わせて設定することができる。演算された仕上がり予想時間は、図４に示したリストに表示される。予想時間は、仕上がりの時刻で表示しても良いし、オーダーを受け付けてからオーダーが仕上がるまでに要する処理時間を表示してもよい。オーダーの受付時点とは、例えば、記憶メディアを受付端末２０に装着して受付処理を完了した時点、プレジャッジ作業を開始した時点、第１記憶部６ａに新規オーダーを登録した時点など適宜定義することができる。オーダーの仕上がり時点とは、１オーダー分の写真プリントが全て装置外部に排出された時点、集積装置に集積された時点など適宜定義することができる。このような定義は、写真店ごとに決めることができる。
【００５０】
エリア２３ａには、標準プリントサイズ（図例はＬ判）で２４コマ分プリントするのに要する時間を設定する。エリア２３ｂには、標準プリントサイズよりも大きな大サイズ（図例では６つ切）で１２コマ分プリントするのに要する時間を設定する。エリア２３ｃには、特大サイズ（長尺サイズ）で８コマ分プリントするのに要する時間を設定する。エリア２３ｄには、記録装置４０を利用してＣＤ−Ｒ１枚に画像データを書き込む時間を設定する。エリア２３ｅには、顧客に仕上がり写真プリントを渡すまでの時間を設定する。これは、オペレータが写真プリントをＤＰ袋に袋詰めする時間などを考慮して設定する。
【００５１】
余裕時間設定エリア２４には、余裕時間を優先度ごとに設定するものであり、優先度には「特急仕上げ」「通常仕上げ」「ゆっくり仕上げ」の３段階があるが、更に段階を増やしてもよい。このような優先度は顧客からの要望に基づいてオーダーごとに設定されるものである。余裕時間とは、ペーパーマガジン１０の交換に備えた予備時間、割り込みオーダーに備えた予備時間、トラブルに備えた予備時間などが含まれる。そして、各エリア２４ａ〜２４ｃには、各優先度が指定されたオーダーに対する余裕時間を設定することができ、優先度が低くなるほど余裕時間を大きく設定する。
【００５２】
ここで、具体的な仕上がり予想時間の演算方法の一例を説明する。仕上がり予想時間については、
仕上がり予想時間＝待ち時間＋処理時間
により演算する。ここで、（処理時間＝プリント処理時間＋余裕時間）であり、余裕時間については、優先度の違いに応じて余裕時間設定エリア２４において設定した時間である。プリント処理時間については、仕上がり予定時間設定エリア２３にて設定したデータに基づいて演算することができる。待ち時間とは、注目しているオーダーよりもプリント順序が早い全てのオーダーの処理時間の合計のことである。以上のように、仕上がり予想時間を各オーダーにつき求めることができる。
【００５３】
なお、仕上がり予想時間と比較される顧客引渡し時間については、各オーダーごとに入力されるものであり、例えば、新規オーダーを受け付けるときや、第１記憶部６ａに登録するときに設定することができる。
【００５４】
＜プロセス間のデータの流れ＞
次に、図２に示す写真処理装置において、プロセス間のデータの流れを図６のブロック図により説明する。フィルムスキャナー１により取得される画像データは、画像処理基板９を経由して制御プロセス４１に引き渡される。制御プロセス４１は、図２において、システム制御部１８に相当する。本スキャンによる高解像度の画像データは、ＳＣＳＩインターフェイス４２ａを介して制御プロセス４１に引き渡される。また、プレスキャンによる低解像度の画像データは、ＳＣＳＩインターフェイス４２ｂを介して制御プロセス４１に引き渡される。写真処理装置１００本体の画像取得部２ａから入力される画像データは、画像処理基板９を経由せず直接制御プロセス４１に引き渡される。
【００５５】
プリント処理される画像データを含むオーダーデータは、制御プロセス４１からＳＣＳＩインターフェイス４２ｃを経由して画像処理基板９に引き渡される。記憶メディアへ書き込みされる画像データは、一旦画像処理基板９に送り込まれて所定の画像処理が施された後、制御プロセス４１に引き渡され、記憶メディアを作成する装置（図１における記録装置４０）へ送信される。
【００５６】
表示プロセス４３は、プレジャッジ等を行なうためにモニター７に表示するためのサムネイル画像データの作成等を行なう。また、インデックスプリントを作成するためのサムネイル画像データを生成する。ＴＭＰフォルダ６ｃには、表示プロセス４３により生成されたインデックス用のサムネイル画像データが保存される。ＴＭＰフォルダ６ｃは、一時的な作業用のフォルダであり、プリント処理が終了すれば削除されるデータが格納されるものである。ＴＭＰフォルダ６ｃには、前述のインデックスプリント作成用のサムネイル画像データのほかに、記憶メディアに画像データを書き込む場合に使用される画像データや、画像取得部２ａから入力された画像データを保存するために使用される。記憶メディアに画像データを書き込む依頼の場合は、後日焼き増し注文を受けるという可能性が少ないため、記憶メディアに画像データを書き込んだ後は、画像データを直ちに削除してもよい。また、画像取得部２ａを介して記憶メディアに格納された画像データを取得して写真プリントを作成する場合、プリント処理を終了した後、直ちに画像データを削除したとしても問題はない。仮に、焼き増し注文を受ける場合には、顧客が再び記憶メディアを持参してくることが考えられ、容易に画像データを再取得できるからである。
【００５７】
一方、第２記憶部６ｂに保存される画像データは、フィルムスキャナー１から取得される画像データである。かかる場合には、プリント処理が終了しても直ちに画像データを削除するのではなく、前述のように、所定期間画像データを第２記憶部６ｂに保存しておく。写真フィルムから画像データを取得するためには、フィルムスキャナー１でスキャニングをする必要があり、画像データを取得するのに記憶メディアよりも多くの時間を要する。従って、後日の焼き増し注文において、スキャニングの時間を省略するため、所定期間画像データを保存しておくようにする。
【００５８】
オーダー管理プロセス４４は、図２においてオーダー管理部５に相当するものであり、画像データを含むオーダーデータを受け取ると、第１記憶部６ａへと引渡し、オーダーの登録を行なう。第１記憶部６ａには、全てのオーダーのオーダー管理データと、ネットワーク経由で取得される画像データが保存される。
【００５９】
＜処理手順１＞
次に、具体的な処理手順について図６のブロック図及び図７のフローチャートを参照しながら説明する。まず、フィルムスキャナー１から画像データを取得して写真プリントを作成するまでのデータの流れを説明する。
【００６０】
最初に、現像済み写真フィルムをフィルムスキャナー１にセットしてスキャニングし、画像データを取得する（＃１，２）。この画像データは、プレスキャン画像データである。このプレスキャン画像データについては、全コマ分が一度に取得される。プレスキャン画像データは、画像処理基板９を経由してＳＣＳＩインターフェイス４２ｂを介して制御プロセス４１に引き渡される（矢印（１））。このプレスキャン画像データは、制御プロセス４１から表示プロセス４３へと引き渡され（矢印（２））、プレジャッジ用にモニター７に表示されるために用いられると共に、インデックスプリント作成用のサムネイル画像データを作成するために使用される。インデックスプリント用のサムネイル画像データは、表示プロセス４３からＴＭＰフォルダ６ｃに保存される（矢印（３））。
【００６１】
オペレータは、図３に示すようなプレジャッジ画面において、各コマ画像に対してプレジャッジを行い必要に応じて補正データの設定を行なう（＃３）。本実施形態において、プレジャッジは１画面において６コマずつ行なうように構成されており、図３の右下に図示されるＯＫボタン３６をクリックすると、６コマ分のプレジャッジが完了する（＃４）。これにより、当該６コマ分について、フィルムスキャナー１により本スキャンを実施し、高解像度の画像データを入力させる（矢印（４））（＃５）。
【００６２】
本スキャンの画像データは、ＳＣＳＩインターフェイス４２ａを介して制御プロセス４１に引き渡され、更に、第２記憶部６ｂに６コマ分の画像データが保存される。また、プレジャッジ作業において設定された補正データを含むプリントデータについても、同じように第２記憶部６ｂに保存される。また、オーダー管理データについては、オーダー管理プロセス４４を介して第１記憶部６ａに保存される（矢印（６）（７））（＃６）。すなわち、写真フィルムから写真プリントを作成するオーダーの場合は、オーダー管理データを第１記憶部６ａに保存してオーダー管理が行なわれるが、画像データとプリントデータについては、第２記憶部６ｂに保存される。この場合、両者は関連付けがされた状態でデータが保存される。なお、写真フィルムからのプリント処理の依頼で、記憶メディアへの画像データの書き込みについても依頼があった場合、画像データは第２記憶部６ｂではなく、ＴＭＰフォルダ６ｃに保存されるように構成される（矢印（５））。ただし、この場合も第２記憶部６ｂに画像データを保存するように構成してもよい。
【００６３】
６コマ分のプレジャッジが終了すると、次の６コマ分についてのプレジャッジを行なう（＃７）。このように、６コマずつプレジャッジを行いオーダーデータを第１記憶部６ａと第２記憶部６ｂに保存していくが、途中の段階では、オーダーデータが全て確定していないため、図４に示すオーダーリストにおいては、オーダーの状態表示として、オーダー受付中の表示がされている（受付ナンバー２８参照）。そして、写真フィルム１本分（１オーダー）の全てのコマ画像に関してプレジャッジが終了すると、オーダー確定操作部４ｄを操作してオーダーの内容を確定させる（＃８）。これにより、図４におけるオーダーの状態表示は、プリント待ち状態となる（＃９）。
【００６４】
写真プリントを作成するときのデータの流れについて説明すると、まず、オーダー管理プロセス４４からプリント処理を開始すべきオーダーについてのプリント処理開始要求が制御プロセス４１へ出される（矢印（８））（＃１０）。これを受けて制御プロセス４１は、第２記憶部６ｂに保存されている当該オーダーの画像データとプリントデータを読み出す（矢印（９））（＃１１）。また、インデックスプリントを作成するためのサムネイル画像データもＴＭＰフォルダ６ｃから読み出される（矢印（１０））。
【００６５】
上記読み出された画像データ等は、画像処理基板９に引き渡される（矢印（１２））。画像処理基板９は、画像データとプリントデータに含まれる補正データを用いて画像処理を行い、写真プリントを作成するためのプリント用画像データを生成する（＃１２，１３）。このプリント用画像データは、露光エンジン１２に転送され、ペーパーの乳剤面に画像が焼付露光される。画像が焼付露光されたペーパーは、現像処理部１３及び乾燥処理部１４で所定の処理が施された後、ペーパー排出部１５から仕上がりの写真プリントが排出される（＃１４）。
【００６６】
＜処理手順２＞
次に、画像取得部２ａにより記憶メディアに格納された画像データを入力して写真プリントを作成するときの手順を説明する。記憶メディアの画像データは、画像処理基板９を経由せずに、直接制御プロセス４１に引き渡される（矢印（１’））。以後の手順は写真フィルムから画像データを入力する場合とほぼ同じであるが、画像データについては、ＴＭＰフォルダ６ｃに保存される（矢印５））。画像データ及びプリントデータを第２記憶部６ｂに保存し、オーダー管理データを第１記憶部６ａに保存する点は、写真プリントの場合と同じである。また、写真プリントを作成するときのデータの出力手順も同じである。
【００６７】
＜処理手順３＞
次に、ネットワーク及び画像取得部２ｂを介してオーダーデータを取得して写真プリントを作成するまでのデータの流れを説明する。かかるオーダーデータは、受付端末２０あるいはネット受付端末５０により入力され、オーダー管理プロセス４４に引き渡される（矢印（１”））。このオーダーデータは、全て第１記憶部６ａに保存される（矢印（２’））。プリント処理の開始要求が制御プロセス４１に対して出されると（矢印（８））、第１記憶部６ａから画像データ及びプリントデータが読み出され、制御プロセス４１に引き渡される（矢印（１１））。また、インデックスプリント作成用のサムネイル画像を生成するために、ＴＭＰフォルダ６ｃにおいてサムネイル画像データを生成した後、サムネイル画像データが制御プロセス４１に引き渡される（矢印（５）（１０））。以下、写真フィルムの場合と同じ手順で写真プリントの作成が行なわれる（矢印（１２））。
【００６８】
＜処理手順４＞
記憶メディアへの画像データの書き込み処理を行う場合のデータの流れについては、既に説明してきたのとほとんど同じであるが、データの出力処理において若干の違いを有する。すなわち、制御プロセス４１から画像処理基板９にオーダーデータが引き渡され、画像処理基板９において画像データに対する画像処理が行われるが、その結果得られた書き込み用画像データは、再び制御プロセス４１に引き渡された後、記録装置４０（図１参照）へと転送される。なお、記録装置４０については、写真処理装置１００とネットワークにより接続されているが、写真処理装置１００自身が記録装置を備えていてもよい。
【００６９】
＜別実施形態＞
本実施形態において、写真フィルムからプリント処理を行なうオーダーと、受付端末２０で注文を受け付けた記憶メディアからのプリント処理を行なうオーダーとを混在させて処理することもできるが、これを別々に行なわせることもできる。すなわち、写真処理装置１００におけるプリント処理モードとして、通常モードとネットモードを切り換えるようにし、通常モードでは写真処理装置１００自身で受け付けたネガフィルムからのプリント処理のみを行なうようにし、ネットモードでは受付端末２０やネット受付端末５０で受け付けたオーダーのプリント処理のみを行なうように構成してもよい。この場合は、夫々のモードにおいて本発明の構成を適用することができる。また、夫々のモード用に記憶部を別々に設けてもよい。
【００７０】
本実施形態において、一時的な作業用のフォルダとしてＴＭＰフォルダ６ｃを使用しているが、これは必ずしも必要はない。すなわち、インデックスプリントを作成するためのサムネイル画像データや、プレスキャン画像データも第２記憶部６ｂに保存するようにし、プリント処理対象の画像データと共に、所定期間削除せずに残しておくことができる。これにより、焼き増し注文の依頼があった場合、プレスキャンをしなくて済むので作業効率を高めることができる。
【００７１】
本実施形態において、２つの記憶部６ａ，６ｂを使用しているが、更に画像データを保存するための記憶部を追加して構成してもよい。また、オーダー管理データは第１記憶部６ａに保存し、画像データはすべて第２記憶部６ｂに保存するようにしてもよい。
【図面の簡単な説明】
【００７２】
【図１】写真処理システムの構成を示す概念図
【図２】写真処理装置の機能を示すブロック図
【図３】プレジャッジ画面の構成例を示す図
【図４】オーダー管理画面の構成例を示す図
【図５】オーダー管理の設定画面の構成例を示す図
【図６】プロセス間のデータの流れを示すブロック図
【図７】写真プリントを作成するときの処理手順を示すフローチャート
【符号の説明】
【００７３】
１        フィルムスキャナー
２ａ，２ｂ        画像取得部
４        画像判定部
４ａ      補正データ設定部
４ｂ      プリントデータ設定部
４ｃ      サムネイル画像作成部
４ｄ      オーダー確定操作部
５        オーダー管理部
５ａ      オーダー登録部
５ｂ      プリント処理制御部
５ｃ      オーダーデータ削除部
５ｄ      優先度設定部
５ｅ      プリント順序設定部
６        記憶装置
６ａ      第１記憶部
６ｂ      第２記憶部
６ｃ      ＴＭＰフォルダ
９        画像処理基板
１８      システム制御部
１８ａ    記憶部選択手段
２０      受付端末
４０      記録装置
４１      制御プロセス
４３      表示プロセス
４４      オーダー管理プロセス
５０      ネット受付端末
１００    写真処理装置
【図１】
2007095002.tif 000003
【図２】
2007095002.tif 000004
【図３】
2007095002.tif 000005
【図４】
2007095002.tif 000006
【図５】
2007095002.tif 000007
【図６】
2007095002.tif 000008
【図７】
2007095002.tif 000009